(57)【特許請求の範囲】
【請求項１】
吸収体を含む吸収性本体と、
前記吸収性本体の外面側に設けられ、着用時に人体の腹側に位置する腹側部及び背側に位置する背側部を有する外装体と、
を備え、
前記外装体の前記腹側部と前記背側部とが、その両側端が接合されることにより腰周り開口部及び左右一対の脚周り開口部が形成される吸収性物品において、
前記吸収体は、前記腹側部と前記背側部との間であって着用時に人体の股間に位置する股間部において、前記吸収性本体の長手方向に離間して設けられた第１吸収体と第２吸収体とを備え、
前記第１吸収体は、前記股間部において前記背側部に向けて凸形状となるように設けられた凸状部を備え、
前記第２吸収体は、前記凸状部の外部に配置され、着用時に人体の臀部に位置する部分において前記腹側部に向けて凹形状となるように設けられた凹状部を備え、
前記外装体における前記第１吸収体と前記第２吸収体との離間領域に、前記第１吸収体に対して内側から前記背側部に向かって外側に傾斜する方向に沿って、当該離間領域を横断する伸縮自在な離間領域弾性部材が配置されることを特徴とする吸収性物品。
【請求項２】
前記第２吸収体は、前記腹側部側の長手方向端部の幅方向中心から前記背側部に向かって設けられたスリットを備え、
前記外装体における前記スリットの配置領域に、前記吸収性本体の幅方向に沿って伸縮自在なスリット部弾性部材を備えることを特徴とする請求項１に記載の吸収性物品。
【発明の詳細な説明】
【技術分野】
【０００１】
本発明は、吸収性物品に関する。
【背景技術】
【０００２】
従来、吸収性物品の一つとして使い捨ての紙おむつが知られている。使い捨ての紙おむつとしては、パンツ型及びテープ式紙おむつが知られている。
このうちパンツ型紙おむつは、一般に、吸収体を含む吸収性本体と、この吸収性本体の外面側に一体的に設けられた外装シートと、を備え、製品状態で外装シートにおける腹側部と背側部とが、その両側端の接合部において接合されることによりウエスト開口部及び左右一対のレッグ開口部が形成されている。
パンツ型紙おむつにおいては、着用中の動作時（例えば、脚の開閉時、歩行時、立位と着座位との間の移行動作時など）に生じる人体の股間とパンツ型紙おむつとの隙間から漏れが生じることがある。
また、パンツ型紙おむつにおいては、人体の臀部の形状にフィットせず膨らんだ状態、いわゆる、だぼつきが発生しやすい。
そこで、例えば、吸収性物品において、主として長手方向に沿って収縮力を作用させるように配置された弾性体と、長手方向背側端部の幅方向中心部にスリットが設けられた吸収体とを備え、弾性体が収縮することで吸収体がスリットの形状に沿って変形して、使用者の身体の複雑な３次元形状に好適にフィットさせて漏れを防止する技術が提案されている（例えば、特許文献１参照。）。
【先行技術文献】
【特許文献】
【０００３】
【特許文献１】特開２００４−１０５７２３号公報
【発明の概要】
【発明が解決しようとする課題】
【０００４】
しかしながら、上記従来の技術は、スリットの近傍に弾性部材を配置することで吸収体を変形させているに過ぎない。従って、吸収体の変形量はスリット幅に依存するため限度があるので、着用中の動作時における人体の股間に吸収体の形状が追従しきれず、隙間が生じるという問題は依然として残る。
また、同様に、従来の技術のみでは、臀部のように凹凸が大きい部分に好適にフィットさせることは難しいという問題があった。
【０００５】
本発明の課題は、着用中の動作時における股間部の漏れをより好適に防止することができる吸収性物品を提供することである。
また、更なる課題は、臀部によりフィットして臀部のだぼつきの発生を好適に抑制することである。
【課題を解決するための手段】
【０００６】
前記課題を解決するために、請求項１に記載の発明は、吸収体を含む吸収性本体と、前記吸収性本体の外面側に設けられ、着用時に人体の腹側に位置する腹側部及び背側に位置する背側部を有する外装体と、を備え、前記外装体の前記腹側部と前記背側部とが、その両側端が接合されることにより腰周り開口部及び左右一対の脚周り開口部が形成される吸収性物品において、前記吸収体は、前記腹側部と前記背側部との間であって着用時に人体の股間に位置する股間部において、前記吸収性本体の長手方向に離間して設けられた第１吸収体と第２吸収体とを備え、前記第１吸収体は、前記股間部において前記背側部に向けて凸形状となるように設けられた凸状部を備え、前記第２吸収体は、前記凸状部の外部に配置され、着用時に人体の臀部に位置する部分において前記腹側部に向けて凹形状となるように設けられた凹状部を備え、前記外装体における前記第１吸収体と前記第２吸収体との離間領域に、前記第１吸収体に対して内側から前記背側部に向かって外側に傾斜する方向に沿って、当該離間領域を横断する伸縮自在な離間領域弾性部材が配置されることを特徴とする。
【０００７】
請求項１記載の発明によれば、吸収体が股間部において第１吸収体と第２吸収体とに分離されるので、吸収体が第１吸収体と第２吸収体とで独立して変形することができる。ここで、第１吸収体に備えられた凸状部が人体の股間の底面にフィットし、第２吸収体に備えられた凹状部が脚の付け根にフィットするため、吸収体が人体の股間により好適にフィットすることができる。
また、第１吸収体の幅方向内側から背側部に向かって幅方向外側に傾斜する方向に沿って、第１吸収体と第２吸収体との離間領域を横断して、離間弾性部材が配置されている。そのため、脚の付け根の形状に沿った方向に離間弾性部材が伸縮し、吸収体の人体の股間へのフィット性をさらに向上させることができる。
従って、着用中の動作時における股間部からの漏れをより好適に防止することができる。  
【００１２】
請求項２記載の発明は、請求項１に記載の吸収性物品において、前記第２吸収体は、前記腹側部側の長手方向端部の幅方向中心から前記背側部に向かって設けられたスリットを備え、前記外装体における前記スリットの配置領域に、前記吸収性本体の幅方向に沿って伸縮自在なスリット部弾性部材を備えることを特徴とする。
【００１３】
請求項２記載の発明によれば、請求項１に記載の発明と同様の効果が得られることは無論のこと、特に、スリット部弾性部材が収縮することによって、第２吸収体がスリットを頂点として人体側に凸となるように変形させることができることとなって、臀部の割れ目に沿って吸収体をフィットさせることができる。
従って、臀部のだぼつきの発生を好適に抑制することができる。
【発明の効果】
【００１４】
本発明によれば、吸収体が股間部において第１吸収体と第２吸収体とに分離されるので、吸収体が第１吸収体と第２吸収体とで独立して変形することができることとなって、吸収体の股間部における人体へのフィット性が向上するとともに、離間領域に横断された離間領域弾性部材が収縮することによって、第１吸収体と第２吸収体との離間領域を埋めることができる。従って、着用中の動作時における股間部の漏れをより好適に防止することができる。
【図面の簡単な説明】
【００１５】
【図１】実施形態の紙おむつの製品状態外観図である。
【図２】図１の紙おむつの分解斜視図である。
【図３】図１の紙おむつの展開図である。
【図４】図１の紙おむつの吸収性本体の平面図である。
【図５】図３のV-V線における断面図である。
【図６】図３のVI-VI線における断面図である。
【図７】図３のVII-VII線における断面図である。
【図８】吸収体の変形の状態を説明するための説明図である。
【図９】装着時を模式した図８（ｂ）のIX-IX線における断面図である。
【図１０】装着時を模式した図８（ｂ）のX-X線における断面図である。
【図１１】装着時を模式した図８（ｂ）のXI-XI線における断面図である。
【発明を実施するための形態】
【００１６】
以下、本発明の実施形態を、図面を用いて詳細に説明する。ただし、発明の範囲は、図示例に限定されない。
また、本実施の形態においては、吸収性物品としてパンツ型使い捨て紙おむつ（以下、「紙おむつ」という。）を例示して説明する。
【００１７】
図１から図７に示すように、紙おむつ１は、吸収体１３を含む吸収性本体１０と、この吸収性本体１０の外面側に設けられ、着用時に人体の腹側に位置する腹側部Ｆ及び背側に位置する背側部Ｂを有する外装体２０と、を備えている。
この紙おむつ１は、外装体２０の腹側部Ｆと背側部Ｂとが、その両側端の接合部（２１、２２）において接合されることにより腰周り開口部Ｗ、左右一対の脚周り開口部Ｌが形成されるとともに、左右一対の脚周り開口部Ｌの間に股間部Ｍが形成されるようになっている。
ここで、特に断りが無い場合、「長手方向」とは、吸収性本体１０の長手方向を意味し、「幅方向」とは、吸収性本体１０の幅方向を意味するものとする。
【００１８】
紙おむつ１は、図２に示すように、外装体２０の紙おむつ着用時の身体側となる内面に、吸収性本体１０の外面側がホットメルト等の接着剤によって接着されて、吸収性本体１０と外装体２０が一体化される。そして、外装体２０の股間部Ｍを吸収性本体１０とともに折り曲げるようにして外装体２０の腹側部Ｆと背側部Ｂを折り重ね、接合部２１と接合部２２を左右同士でヒートシール又は超音波シールによって接合することにより、図１に示す、紙おむつ１に組み立てられる。
【００１９】
（吸収性本体）
吸収性本体１０は、図４〜７に示すように、不織布などからなる透液性表面シート１１と、ポリエチレン等からなる防水シート１２との間に、綿やパルプ等の吸収性素材や、繊維或いはフィルム等のシート状基材と高吸水性樹脂とが組み合わされて形成された吸収体１３を介在させた構造を有しており、体液としての尿等の水様成分を吸収保持するものである。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
この吸収性本体１０は、外装体２０の腹側部Ｆから背側部Ｂに亘り、着用時に人体の股間に位置する股間部Ｍに備えられており、当該吸収性本体１０の幅方向の両端部には、長手方向に延在する左右一対の立体ギャザーＢＳが備えられている。
【００２０】
吸収体１３は、股間部Ｍにおいて、吸収性本体１０の長手方向に離間して設けられた腹側吸収体（第１吸収体）１３１と、背側吸収体(第２吸収体)１３２とを備えている。吸収性本体１０における腹側吸収体１３１と背側吸収体１３２との間には、吸収体１３が配置されていない離間領域Ｓが設けられている。
【００２１】
腹側吸収体１３１は、腹側部Ｆと背側部Ｂとの間であって股間部Ｍの中央よりもやや背側部Ｂよりにおいて、背側部Ｂに向けて凸形状となるように設けられている。
より具体的には、腹側吸収体１３１は、吸収性本体１０の腹側部Ｆ側の端部に位置して幅広で略矩形の腹側幅広部１３１ａと、幅広部１３１ａの背側端部に連続して設けられ、背側部Ｂに向かって漸次幅が狭くなるように突出した凸状部１３１ｂと、を備えている。
凸状部１３１ｂの先端は、外装体２０の長手方向中央よりもやや背側部Ｂよりに位置している。
【００２２】
背側吸収体１３２は、着用時に人体の臀部に位置する部分において腹側部Ｆに向けて凹形状となるように設けられている。
より具体的には、腹側吸収体１３１の凸状部１３１ｂの先端が収容される凹状部１３２ａと、凹状部１３２ａの背側端部に連続して背側部Ｂ側に延在する幅広の背側幅広部１３２ｂと、を備えている。
凸状部１３１ｂと凹状部１３２ａとの間には、離間領域Ｓが形成されている。
凹状部１３２ａの幅方向の長さは、凹状部１３２ａの先端から背側幅広部１３２ｂに至るまで漸次長くなるようになっている。
背側吸収体１３２の凹状部１３２ａには、腹側部Ｆ側の長手方向端部の幅方向中心から背側部Ｂに向かって設けられたスリット１３２ｃが設けられている。
なお、吸収体１３は、形状保持と透液性表面シート１１を透過した体液の拡散性の向上のためにクレープ紙（図示省略。）によって囲繞することとしても良い。
【００２３】
吸収体１３の表面側（肌当接面側）を覆う透液性表面シート１１を形成する不織布の素材としてとしては、天然繊維、合成繊維のいずれを用いても良い。天然繊維の例としては、綿、セルロース（木材パルプ）、羊毛、絹等が挙げられる。また合成繊維としては、ポリプロピレン（ＰＰ）、ポリエチレン（ＰＥ）、ナイロン、ポリエステル（ＰＥＴ）、アクリル等が挙げられ、またＰＥ／ＰＰ混合不織布、ＰＥ／ＰＥＴ混合不織布、また、上記素材を適宜組み合わせたバイコンポーネント繊維（混合繊維）も用いることができる。
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造しても良い。
これらの加工法のうち、スパンレース法による不織布は柔軟性、ドレープ性に富む点で優れ、サーマルボンド法による不織布は嵩高でソフトである点で優れている。
また、透液性表面シート１１に多数の透孔を形成した場合には、尿などが速やかに吸収されるようになり、ドライタッチ性に優れたものとなる。
【００２４】
吸収体１３の裏面側（非肌当接面側）を覆う防水シート１２は、遮水性を有し、吸収体１３を通過した水様成分が外装体２０側に漏れることを防止する働きをなすものであり、例えば、ポリエチレンまたはポリプロピレンなどの不透液性プラスチックシートが用いられる。また、ムレ防止の点から透湿性を有するものが好適に用いられる。この遮水・透湿性シートは、例えば、ポリエチレンやポリプロピレン等のオレフィン樹脂中に無機充填材を溶融混練してシートを形成した後、一軸または二軸方向に延伸することにより得られる微多孔性シートである。微多孔性シートであれば、仮にシート厚が同じである場合に、無孔シートよりも剛性が低下するため、柔軟性の点でも勝るものとなる。
かかる防水シート１２としては、排便や尿などの褐色が視認しにくいように不透明なものを用いることが好ましい。防水シート１２の不透明化としては、オレフィン樹脂やプラスチック中に、炭酸カルシウム、酸化チタン、酸化亜鉛、ホワイトカーボン、クレイ、タルク、硫酸バリウムなどの顔料や充填材を添加してフィルム化したものが好適に使用される。
【００２５】
立体ギャザーＢＳは、不透液性のギャザー不織布１５を二つ折りにしてその基端部にて防水シート１２の側縁部を挟みこみ、折り合わされた面を、例えば、ホットメルトや、ヒートシール、超音波シール等により固着させることにより形成されている。折り返しによって二重にされたギャザー不織布１５の基端部の上面側には、透液性表面シート１１の側縁部が接着されている。
また、ギャザー不織布１５は、吸収性本体１０の長手方向中間部においては、立体ギャザーＢＳを形成する自由端部（起立端部）となっており、長手方向前後端部においては、吸収性本体１０の上面側に内側に折り畳まれてホットメルト接着剤等により接着された固定部となっている。
【００２６】
また、ギャザー不織布１５の起立先端部には、複数本の糸状弾性伸縮部材１６・・・が配設されている。糸状弾性伸縮部材１６・・・は、弾性伸縮力によりギャザー不織布１５を起立させて立体ギャザーＢＳとするためのものである。
【００２７】
また、ギャザー不織布１５を構成する素材繊維は、上記した透液性表面シート１１を形成する不織布と同様の素材から構成され、また、これら不織布の製造方法もほぼ等しくなっているが、特に、ムレを防止するために秤量を抑えて通気性に優れた不織布を用いることが好ましい。さらに、ギャザー不織布１５については、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
【００２８】
（外装体）
外装体２０は、図１から図７に示すように、当該外装体２０を形造る外層シート２０Ａを備えている。外層シート２０Ａは、上層不織布２０ａと下層不織布２０ｂとの２枚の不織布を貼着して構成され、上層不織布２０ａ及び下層不織布２０ｂの間には、後述する各種の糸状の弾性部材が配設されて、伸縮性が付与されるようになっている。
また、外層シート２０Ａの内側（肌当接面側）には、腹側部Ｆ及び背側部Ｂにおいて、上層不織布２０ａの上面に胴周りシート２０Ｂ、２０Ｂが備えられ、良好な着用感を実現するようになっている。
この外装体２０は、その中間両側部にそれぞれ脚周り開口部Ｌを設けるための凹状の脚周りカットライン２３が形成され、紙おむつ１の着用者の股間周囲を覆う股間部Ｍと、股間部Ｍの前端側に位置し着用者の腹部を覆う腹側部Ｆと、股間部Ｍの後端側に位置し着用者の背部を覆う背側部Ｂと、を有しており、その平面形状は全体として擬似砂時計形状を成している。
【００２９】
腹側部Ｆの幅方向両端部には、背側部Ｂと接合するための接合部２１が形成されており、背側部Ｂの幅方向両端部には、腹側部Ｆと接合するための接合部２２が形成されている。
接合部２１、２２は、それぞれ腹側部Ｆと背側部Ｂにおいて、腰周り開口部Ｗの開口端部側から脚周りカットライン２３を有する脚周り開口部Ｌに亘る上下方向に所定の幅を有している。
この接合部２１と接合部２２とは、左右同士でヒートシール又は超音波シールによって接合されている。
【００３０】
また、外装体２０は、腹側部Ｆ及び背側部Ｂのそれぞれにおいて、腰周り開口部Ｗの開口端部側（上側）に配置される複数のウエスト弾性部材２４・・・と、腹側部Ｆ及び背側部Ｂのそれぞれにおいて、一方の接合部２１、２２から他方の接合部２１、２２に亘り、腰周りに沿う方向に延在するよう配設された複数の腰周り弾性部材２５・・・と、股間部Ｍにおいて、一方の脚周り開口部Ｌから他方の脚周り開口部Ｌに亘り、直線状に吸収体本体１０を幅方向に横断するように配設された複数の股間部弾性部材２６・・・と、腹側部Ｆ及び背側部Ｂのそれぞれにおいて、接合部２１、２２から脚周り開口部Ｌの脚周りカットライン２３（縁部）に沿って股間部Ｍ側に延びるように配設された複数の脚周り弾性部材２７・・・と、を備えている。
【００３１】
ウエスト弾性部材２４は、腹側部Ｆと背側部Ｂとが接合される接合部２１、接合部２２の上下方向の幅である範囲のうち、腰周り開口部Ｗの近傍において上下方向に間隔をおいて配設された複数条の糸ゴム状弾性部材であり、身体のウエスト部周りを締め付けるように伸縮力を付与し、紙おむつ１を身体に装着するためのものである。
【００３２】
腰周り弾性部材２５は、腹側部Ｆと背側部Ｂとのそれぞれにおいて、ウエスト弾性部材２４より股間部Ｍ側に上下方向に所定の間隔をおいて互いに略平行に配設された複数条の糸ゴム状の弾性伸縮部材であり、腹側部Ｆ及び背側部Ｂの腰周り部分を締め付けるように伸縮力を付与する。この複数の腰周り弾性部材２５・・・は、外装体２０に所定の幅、範囲に亘って配設されることにより、腹側部Ｆや背側部Ｂの全面を身体により密着させるようになっている。
【００３３】
股間部弾性部材２６は、股間部Ｍにおいて、腰周り弾性部材２５より股間部Ｍ側に上下方向に所定の間隔をおいて互いに略平行に配設された複数条の糸ゴム状の弾性伸縮部材であり、股間部分の吸収体を幅方向に締め付けるように伸縮力を付与する。
この複数の股間部弾性部材２６・・・は、背側吸収体１３２におけるスリット１３２ｃの配置領域に、吸収性本体１０の幅方向に沿って伸縮自在に設けられたスリット部弾性部材を構成している。
そして、図３に示すように、スリット１３２ｃの配置領域の股間部弾性部材２６が収縮することによって、背側吸収体１３２の凹状部１３２ａがスリット１３２ｃを頂点として人体側に凸となるように曲がって変形することができるようになっている。これにより、着用時に人体の臀部の割れ目部分に沿って吸収体１３をフィットさせることができるようになっている。
【００３４】
脚周り弾性部材２７は、腹側部Ｆ及び背側部Ｂにおいて、腰周り弾性部材２５とは別に配設された複数本の糸ゴム状の弾性伸縮部材である。この複数の脚周り弾性部材２７・・・は、外装体２０に所定の幅、範囲に亘って配設されることにより、外装体２０の脚周り部分を身体に密着させる。
具体的に、脚周り弾性部材２７は、腹側部Ｆ及び背側部Ｂの一方の接合部２１、２２から、ほぼ脚周りカットライン２３に沿うように股間部Ｍ側に延び、その股間部Ｍを迂回するようにして、他方側の脚周りカットライン２３にほぼ沿いながら他方の接合部２１、２２に到達するように配設されている。
【００３５】
また、この脚周り弾性部材２７は、腹側吸収体１３１の幅方向内側から背側部Ｂに向かって幅方向外側に傾斜する方向に沿って配置され、腹側吸収体１３１と背側吸収体１３２の間の離間領域Ｓを斜めに横断するようになっている。従って、脚周り弾性部材２７は、離間弾性部材を構成している。
これにより、着用時の脚の付け根の形状に沿った方向に脚周り弾性部材２７が伸縮することとなって、よりフィット性を向上させることができるようになっている。
【００３６】
次に、本紙おむつ１を人体に装着した際の股間部Ｍにおける、吸収体１３の当たり方について、図８〜１１を用いて説明する。
図８（ａ）に示すように、脚周り弾性部材２７の収縮により、腹側吸収体１３１の凸状部１３１ｂと背側吸収体１３２の凹状部１３２ａとが近づいて離間領域Ｓを埋める。
また、股間部弾性部材２６の収縮により、背側吸収体１３２の凹状部１３２ａがスリット１３２ｃを頂点として人体側向けて凸となる。
【００３７】
より具体的には、図８（ｂ）のＩＸ−ＩＸ線の断面に対応する位置においては、図９に示すように、腹側吸収体１３１の凸状部１３１ｂの肌当接面が人体Ｈの股間Ｋの底面と略平行となって密着する。
また、図８（ｂ）のＸ−Ｘ線の断面図に対応する位置においては、図１０に示すように、腹側吸収体１３１の凸状部１３１ｂの人体当接面が人体Ｈの股間Ｋの底面と略平行となって密着するとともに、背側吸収体１３２の凹状部１３２ａの先端部分が人体に向けて凸となるようにハ字状に曲がって、人体の股間Ｋの付け根に密着する。
また、図８（ｂ）のＸＩ−ＸＩ線の断面図に対応する位置においては、図１１に示すように、凹状部１３２ａのスリット１３２ｃに位置する股間部弾性部材２６が収縮することにより、凹状部１３２ａがスリット１３２ｃを頂点として人体に向けて凸となるように曲がることで、人体Ｈの臀部Ｄの割れ目部分に背側吸収体１３２を密着させることができる。
【００３８】
以上のように、本実施形態の紙おむつ１によれば、吸収体１３が股間部Ｍにおいて腹側吸収体１３１と背側吸収体１３２とに分離されるので、吸収体１３が腹側吸収体１３１と背側吸収体１３２とで独立して変形することができることとなって、吸収体１３の股間部Ｍにおける人体へのフィット性が向上されるとともに、離間領域Ｓを横断する脚周り部弾性部材２７が収縮することによって、腹側吸収体１３１と背側吸収体１３２との離間領域Ｓを埋めることができる。従って、着用中の動作時における股間部Ｍからの漏れをより好適に防止することができる。
また、凸状部１３１ｂが人体の股間の底面にフィットし、凹状部１３２ａが股間部Ｍの足の付け根にフィットすることとなって、より好適に人体の股間にフィットすることができる。
特に、脚周り弾性部材２７が腹側吸収体１３１の幅方向内側から背側部Ｂに向かって幅方向外側に傾斜する方向に沿って配置されるので、脚の付け根の形状に沿った方向に脚周り弾性部材２７が伸縮することとなって、よりフィット性を向上させることができる。
【００３９】
また、股間部弾性部材２６が収縮することによって、背側吸収体１３２がスリット１３２ｃを頂点として人体側に凸となるように変形させることができることとなって、臀部の割れ目に沿って吸収体１３をフィットさせることができる。従って、臀部のだぼつきの発生を好適に防止することができる。
【００４０】
また、本発明は、上記した実施の形態のものに限るものではなく、その要旨を逸脱しない範囲で適宜変更可能である。
具体的には、第１吸収体と第２吸収体の形状は、実施形態の腹側吸収体１３１、背側吸収体１３２の形状に限るものではなく、第１吸収体と第２吸収体が長手方向に離間していれば、適宜変更してよい。
【００４１】
また、離間領域弾性部材は、脚周りをフィットさせる脚周り弾性部材２７と兼用する構成するとしたが、脚周り弾性部材２７と別の弾性部材を離間領域Ｓに配置する構成であってもよい。
【符号の説明】
【００４２】
１  紙おむつ（吸収性物品）
１０  吸収性本体
１１  透液性表面シート
１２  防水シート
１３  吸収体
１３１  腹側吸収体（第１吸収体）
１３１ａ  腹側幅広部
１３１ｂ  凸状部
１３２  背側吸収体（第２吸収体）
１３２ａ  凹状部
１３２ｂ  背側幅広部
１３２ｃ  スリット
１５  ギャザー不織布
１６  糸状弾性伸縮部材
２０  外装体
２０Ａ  外層シート
２０Ｂ  胴周りシート
２０ａ  上層不織布
２０ｂ  下層不織布
２１、２２  接合部
２３  カットライン
２４  ウエスト弾性部材
２５  腰周り弾性部材
２６  股間部弾性部材（スリット部弾性部材）
２７  脚周り弾性部材（離間領域弾性部材）
Ｆ  腹側部
Ｂ  背側部
Ｍ  股間部
ＢＳ  立体ギャザー
Ｗ  腰周り開口部
Ｌ  脚周り開口部
Ｓ  離間領域
【図１】
0005631614.tif 000002
【図２】
0005631614.tif 000003
【図３】
0005631614.tif 000004
【図４】
0005631614.tif 000005
【図５】
0005631614.tif 000006
【図６】
0005631614.tif 000007
【図７】
0005631614.tif 000008
【図８】
0005631614.tif 000009
【図９】
0005631614.tif 000010
【図１０】
0005631614.tif 000011
【図１１】
0005631614.tif 000012